(57)【要約】【課題】ＩＰアドレス等の入力が簡単に行えるネットワーク端末装置を提供することを目的としている。【解決手段】ＩＰアドレスを入力する場合に、ピリオドに代えてテンキーに設けられている記号キーを用いることができるようにしているので、簡便な入力手段でＩＰアドレスを入力できるという効果を得る。また、ユーザが入力した宛先情報の内容に基づいて、適用する通信機能を判別するので、ユーザの操作が簡便になるという効果も得る。【選択図】　　　　図４
2004104643.tif 000002
【特許請求の範囲】
【請求項１】
公衆網へ接続し、公衆網を介して画情報をやりとりするファクシミリ通信機能と、ネットワークへ接続し、Ｄ−ＳＭＴＰプロトコルを適用して画情報を通信するネットワークファクシミリ通信機能を備えたネットワーク端末装置において、
送信時、宛先を指定する宛先情報の内容に応じて、上記ファクシミリ通信機能を用いるかあるいは上記ネットワークファクシミリ通信機能を用いるかを判断し、その判断した結果に基づいて通信動作を行うことを特徴とするネットワーク端末装置。
【請求項２】
前記宛先情報として、ＩＰアドレスが指定された場合には、当該宛先の電子メールアドレスのローカルパートを入力させ、その入力されたローカルパートの内容は、前記Ｄ−ＳＭＴＰプロトコルにおいて宛先を指定するコマンドのパラメータとして用いることを特徴とする請求項１記載のネットワーク端末装置。
【請求項３】
公衆網へ接続し、公衆網を介して画情報をやりとりするファクシミリ通信機能と、ネットワークへ接続し、Ｄ−ＳＭＴＰプロトコルまたはＳＭＴＰプロトコルを適用して画情報を通信するネットワークファクシミリ通信機能を備えたネットワーク端末装置において、
送信時、宛先情報と通信種別を入力させ、その入力された通信種別に応じて、上記ファクシミリ通信機能を用いるか、あるいは、上記ネットワークファクシミリ通信機能のＤ−ＳＭＴＰプロトコル通信機能またはＳＭＴＰプロトコル通信機能を用いるかを判断し、その判断結果に基づいて通信動作を行うことを特徴とするネットワーク端末装置。
【請求項４】
前記通信種別としてＳＭＴＰプロトコルが指定された場合、送信エラーが発生すると即送信エラーを警告表示する一方、上記通信種別としてＤ−ＳＭＴＰプロトコルが指定された場合、送信エラーが発生すると同一画情報を再送し、その再送動作が所定回数になると送信エラーを警告表示するようにしたことを特徴とする請求項３記載のネットワーク端末装置。
【請求項５】
ＩＰアドレスに対応した電子メールアドレスを登録したアドレス変換テーブルをさらに備え、
前記通信種別としてＤ−ＳＭＴＰプロトコルが指定された場合、送信エラーが発生すると、上記アドレス変換テーブルに当該ＩＰアドレスが登録されているかどうかを調べ、登録されている場合には、対応する電子メールアドレスを取得し、ＳＭＴＰプロトコルに切り換えて画情報の送信動作を行うようにしたことを特徴とする請求項４記載のネットワーク端末装置。
【発明の詳細な説明】
【０００１】
【発明の属する技術分野】
本発明は、公衆網へ接続し、公衆網を介して画情報をやりとりするファクシミリ通信機能と、ネットワークへ接続し、Ｄ−ＳＭＴＰプロトコルを適用して画情報を通信するネットワークファクシミリ通信機能を備えたネットワーク端末装置に関する。
【０００２】
【従来の技術】
近年、ファクシミリ原稿を電子メールのメッセージに添付して送信することができるネットワークファクミリ装置が普及してきている。またその中には電子メールの受信の方法としてメールサーバへＰＯＰしてメールを取得するのではなくＳＭＴＰプロトコルで直接受信できるものもある（特許文献１参照）。
【０００３】
【特許文献１】
特開２００２−０２７１９３号公報
【０００４】
【発明が解決しようとする課題】
従来このようなネットワークファクシミリでは送信時のアドレス入力の仕方として電子メールアドレスやホスト名、ＩＰアドレスを入力するとなると記号やアルファベット入力専用のキーが無い場合が多く、とても入力しづらいものであった。
【０００５】
本発明は、かかる実情に鑑みてなされたものであり、ＩＰアドレス等の入力が簡単に行えるネットワーク端末装置を提供することを目的としている。
【０００６】
【課題を解決するための手段】
本発明は、公衆網へ接続し、公衆網を介して画情報をやりとりするファクシミリ通信機能と、ネットワークへ接続し、Ｄ−ＳＭＴＰプロトコルを適用して画情報を通信するネットワークファクシミリ通信機能を備えたネットワーク端末装置において、送信時、宛先を指定する宛先情報の内容に応じて、上記ファクシミリ通信機能を用いるかあるいは上記ネットワークファクシミリ通信機能を用いるかを判断し、その判断した結果に基づいて通信動作を行うようにしたものである。
【０００７】
また、前記宛先情報として、ＩＰアドレスが指定された場合には、当該宛先の電子メールアドレスのローカルパートを入力させ、その入力されたローカルパートの内容は、前記Ｄ−ＳＭＴＰプロトコルにおいて宛先を指定するコマンドのパラメータとして用いるようにしたものである。
【０００８】
また、公衆網へ接続し、公衆網を介して画情報をやりとりするファクシミリ通信機能と、ネットワークへ接続し、Ｄ−ＳＭＴＰプロトコルまたはＳＭＴＰプロトコルを適用して画情報を通信するネットワークファクシミリ通信機能を備えたネットワーク端末装置において、送信時、宛先情報と通信種別を入力させ、その入力された通信種別に応じて、上記ファクシミリ通信機能を用いるか、あるいは、上記ネットワークファクシミリ通信機能のＤ−ＳＭＴＰプロトコル通信機能またはＳＭＴＰプロトコル通信機能を用いるかを判断し、その判断結果に基づいて通信動作を行うようにしたものである。
【０００９】
また、前記通信種別としてＳＭＴＰプロトコルが指定された場合、送信エラーが発生すると即送信エラーを警告表示する一方、上記通信種別としてＤ−ＳＭＴＰプロトコルが指定された場合、送信エラーが発生すると同一画情報を再送し、その再送動作が所定回数になると送信エラーを警告表示するようにしたものである。
【００１０】
また、ＩＰアドレスに対応した電子メールアドレスを登録したアドレス変換テーブルをさらに備え、前記通信種別としてＤ−ＳＭＴＰプロトコルが指定された場合、送信エラーが発生すると、上記アドレス変換テーブルに当該ＩＰアドレスが登録されているかどうかを調べ、登録されている場合には、対応する電子メールアドレスを取得し、ＳＭＴＰプロトコルに切り換えて画情報の送信動作を行うようにしたものである。
【００１１】
【発明の実施の形態】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１４】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１５】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１６】
また、ネットワークファクシミリ装置ＦＸは、スキャナ（後述）を用いて読み取って得た画像データや画情報や各種レポートなどを電子メールを用いて転送（送受信）するための電子メール処理機能、および、アナログ公衆回線網ＰＳＴＮに接続し、この公衆網を伝送路として用いてグループ３ファクシミリ伝送手順による画情報通信を行うファクシミリ通信機能を備えている。
【００１７】
図２は、ネットワークファクシミリ装置ＦＸの構成例を示している。
【００１８】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００１９】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
網制御装置１１は、このネットワークファクシミリ装置ＦＸをアナログ公衆回線網ＰＳＴＮに接続するためのものであり、自動発着信機能を備えている。
【００２３】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２５】
また、網制御装置１１とグループ３ファクシミリモデム１０との間のデータのやりとりは、直接行なわれている。
【００２６】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）またはＥＳＭＴＰ（ＳＭＴＰ　Ｓｅｒｖｉｃｅ　Ｅｘｔｅｎｓｉｏｎｓ；ＲＦＣ１４２５、ＲＦＣ２８２１等参照）という通信プロトコルが適用される。
【００２７】
また、各端末がメールサーバ装置ＳＭに対して、ユーザ宛の電子メールの受信確認や取得要求などのために適用するプロトコルとしては、いわゆるＰＯＰ（Ｐｏｓｔ　Ｏｆｆｉｃｅ　Ｐｒｏｔｏｃｏｌ）などを適用することができる。
【００２８】
また、ＴＣＰ／ＩＰ，ＳＭＴＰ，ＥＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰ，ＥＳＭＴＰはＲＦＣ１４２５，ＲＦＣ２８２１、電子メールの形式は、ＲＦＣ２８２２，ＲＦＣ１５２１，ＲＦＣ１５２２（ＭＩＭＥ（Ｍｕｌｔｉ　Ｐｕｒｐｏｓｅ　Ｍａｉｌ　Ｅｘｔｅｎｓｉｏｎ）形式）などでそれぞれ規定されている。
【００２９】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆回線網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆回線網ＰＳＴＮのグループ３ファクシミリ装置へ転送する転送サービス機能等を備えている。
【００３０】
また、自端末宛に受信した電子メールについては、本文情報に配置される画情報を取り出して、記録出力するようにしている。
【００３１】
さらに、このネットワークファクシミリ装置ＦＸは、Ｄ−ＳＭＴＰ通信機能も備えている。このＤ−ＳＭＴＰは、近年、ＩＥＴＦで制定されつつある通信プロトコルであり、電子メールの送受信に用いられるプロトコルであるＳＭＴＰプロトコルを用いて、相手ネットワーク端末装置と直接能力交換を行うという通信方式であり、通称「ＤｉｒｅｃｔＳＭＴＰ」あるいは「Ｄ−ＳＭＴＰ」と称される。
【００３２】
ここに、ファクシミリ画情報はバイナリデータであり、ＳＭＴＰモードでＭＴＡ間を転送される場合には、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３３】
また、ＥＳＭＴＰモードでＭＴＡ間を転送される場合には、電子メールで送信できるデータが７ビットのキャラクタコードに制限されず、８ビットデータを含ませることができるので、ＭＩＭＥ変換しない状態で画情報を送信することも可能である。
【００３４】
図３は、このネットワークファクシミリ装置ＦＸが送信動作するときの処理の一例を示している。
【００３５】
ユーザが送信原稿をスキャナ５にセットし、操作表示部７を適宜に操作して宛先を入力すると（処理１０１）、スキャナ５にセットされた送信原稿の画像を読み取り、それによって得た画像データを符号化復号化部８で符号化圧縮し、それによって得た画情報を画像蓄積装置９に蓄積する（処理１０２）。
【００３６】
ここで、宛先入力時、ユーザがＩＰアドレスを入力する場合には、図４（ａ）に示すように、ＩＰアドレスにあらわれるピリオドを、テンキー（図示略）に設けられている記号キーで代用して入力できるようにする。また、ＩＰアドレスが宛先情報として入力される場合には、同図（ｂ）に示すように、宛先のネットワーク端末装置のローカルパートも入力させるようにする。なお、ローカルパートの入力は、例えば、あらかじめワンタッチダイアルに登録しておいた内容を呼び出す方法等を採用することができる。
【００３７】
次いで、入力宛先の種別を判定し（処理１０３）、宛先が公衆網に接続されているかどうかを判断する（判断１０４）。判断１０４の結果がＹＥＳになるときには、入力された電話番号を用いて、アナログ公衆回線網ＰＳＴＮへ発呼し（処理１０５）、所定のグループ３ファクシミリ送信処理（処理１０６）を行って、処理１０２で蓄積した画情報を宛先へ送信する。
【００３８】
また、判断１０４の結果がＮＯになるときには、まず、処理１０２で蓄積された送信画情報を、電子メールで送信する際に適用する添付ファイルに変換する（処理１０７）。
【００３９】
次いで、そのときに宛先と指定されたＩＰアドレスの相手端末へ接続し（処理１０８）、Ｄ−ＳＭＴＰプロトコルを適用して、処理１０７で作成した画情報を送信する（処理１０９）。また、このＤ−ＳＭＴＰプロトコルの手順中、宛先を指定するコマンド「ＲＣＰＴ　ＴＯ」のパラメータとして、上記入力されたローカルパートの内容を用いる。
【００４０】
このようにして、本実施例では、ＩＰアドレスを入力する場合に、ピリオドに代えてテンキーに設けられている記号キーを用いることができるようにしているので、簡便な入力手段でＩＰアドレスを入力できる。
【００４１】
また、ユーザが入力した宛先情報の内容に基づいて、適用する通信機能を判別するので、ユーザの操作が簡便になる。
【００４２】
図５および図６は、本発明の他の実施例にかかる送信時の処理の一例を示している。
【００４３】
まず、ユーザが送信原稿をスキャナ５にセットし、操作表示部７を適宜に操作して宛先と、その宛先に送信する際の通信モード（ファクシミリ通信、ＳＭＴＰモード、Ｄ−ＳＭＴＰモードの別）を入力すると（処理２０１）、スキャナ５にセットされた送信原稿の画像を読み取り、それによって得た画像データを符号化復号化部８で符号化圧縮し、それによって得た画情報を画像蓄積装置９に蓄積する（処理２０２）。
【００４４】
次に、そのときに指定された通信モードが、アナログ公衆回線網ＰＳＴＮを用いるファクシミリ通信であるかどうかを調べ（判断２０３）、判断２０３の結果がＹＥＳになるときには、入力された電話番号を用いて、アナログ公衆回線網ＰＳＴＮへ発呼し（処理２０４）、所定のグループ３ファクシミリ送信処理（処理２０５）を行って、処理２０２で蓄積した画情報を宛先へ送信する。
【００４５】
また、判断２０３の結果がＮＯになるときには、処理２０２で蓄積された送信画情報を、電子メールで送信する際に適用する添付ファイルに変換する（処理２０６）。
【００４６】
そして、そのときに指定された通信モードが、ＳＭＴＰモードであるかどうかを調べ（判断２０７）、判断２０７の結果がＹＥＳになるときには、あらかじめ登録されているメールサーバ装置ＳＭへ接続し（処理２０８）、ＳＭＴＰモードの電子メール送信動作を行って、処理２０６で作成した送信データを宛先へ送信する（処理２０９）。
【００４７】
このとき、送信エラーが発生したかどうかを調べ（判断２１０）、判断２１０の結果がＮＯになるときには、その時点で送信動作を終了する。また、判断２１０の結果がＹＥＳになるときには、送信エラーが発生した旨を操作表示部７で警告表示して（処理２１１）、このときの送信動作を終了する。
【００４８】
また、指定された通信モードがＤ−ＳＭＴＰモードであり、判断２０７の結果がＮＯになるときには、そのときに宛先として指定されたＩＰアドレスの相手端末へ接続し（処理２１２）、Ｄ−ＳＭＴＰプロトコルを適用して、処理２０６で作成した画情報を送信する（処理２１３）。
【００４９】
ここで、送信エラーが発生したかどうかを調べ（判断２１４）、判断２１４の結果がＮＯになるときには、その時点で送信動作を終了する。また、判断２１４の結果がＹＥＳになるときには、所定回数まで再送動作を行ったかどうかを調べ（判断２１５）、判断２１５の結果がＮＯになるときには、処理２１３へ戻り、再度、同じ送信動作を行う。
【００５０】
また、判断２１５の結果がＹＥＳになるときには、処理２１１へ移行し、送信エラーが発生した旨を操作表示部７で警告表示して、このときの送信動作を終了する。
【００５１】
このようにして、本実施例では、ユーザの指定により、送信時の通信モードを振り分けることができるので、適切な通信動作が期待できる。また、ＳＭＴＰモードで電子メールを送信した場合に送信エラーが発生したときには、その時点で即送信エラーが発生した旨を操作表示部７で警告表示しているので、ユーザに迅速な通知を行うことができる。また、Ｄ−ＳＭＴＰモード電子メールを送信した場合に送信エラーが発生したときには、規定回数まで再送動作を行い、それでも送信できなかった場合のみに送信エラーが発生した旨を操作表示部７で警告表示しているので、ユーザに適切に通知を行うことができる。
【００５２】
すなわち、従来のネットワークファクシミリ装置ではメールサーバに送信することが前提になっているため、メール送信でエラーが発生する場合は直ちに障害発生の警告を行っている。その結果、Ｄ−ＳＭＴＰモードで送信した場合に相手端末がビジーで受信できない場合でも障害警告を行ってしまうためオペレータに混乱を招く可能性があった。
【００５３】
そこで、本実施例のように、ＳＭＴＰサーバへ送信した場合にエラーが発生した場合は直ちにオペレータに障害の警告を促し、Ｄ−ＳＭＴＰ送信で端末へ送信した場合にエラーが発生した場合は規定回数の再送を行ってエラーで終わった時点で警告を促すことにより、オペレータに送信エラーの警告を適切に通知することができることとなるのである。
【００５４】
図７、図８および図９は、本発明のさらに他の実施例にかかる送信時の処理の一例を示している。
【００５５】
まず、ユーザが送信原稿をスキャナ５にセットし、操作表示部７を適宜に操作して宛先と、その宛先に送信する際の通信モード（ファクシミリ通信、ＳＭＴＰモード、Ｄ−ＳＭＴＰモードの別）を入力すると（処理３０１）、スキャナ５にセットされた送信原稿の画像を読み取り、それによって得た画像データを符号化復号化部８で符号化圧縮し、それによって得た画情報を画像蓄積装置９に蓄積する（処理３０２）。
【００５６】
次に、そのときに指定された通信モードが、アナログ公衆回線網ＰＳＴＮを用いるファクシミリ通信であるかどうかを調べ（判断３０３）、判断３０３の結果がＹＥＳになるときには、入力された電話番号を用いて、アナログ公衆回線網ＰＳＴＮへ発呼し（処理３０４）、所定のグループ３ファクシミリ送信処理（処理３０５）を行って、処理３０２で蓄積した画情報を宛先へ送信する。
【００５７】
また、判断３０３の結果がＮＯになるときには、処理３０２で蓄積された送信画情報を、電子メールで送信する際に適用する添付ファイルに変換する（処理３０６）。
【００５８】
そして、そのときに指定された通信モードが、ＳＭＴＰモードであるかどうかを調べ（判断３０７）、判断３０７の結果がＹＥＳになるときには、あらかじめ登録されているメールサーバ装置ＳＭへ接続し（処理３０８）、ＳＭＴＰモードの電子メール送信動作を行って、処理３０６で作成した送信データを宛先へ送信する（処理３０９）。
【００５９】
このとき、送信エラーが発生したかどうかを調べ（判断３１０）、判断３１０の結果がＮＯになるときには、その時点で送信動作を終了する。また、判断３１０の結果がＹＥＳになるときには、送信エラーが発生した旨を操作表示部７で警告表示して（処理３１１）、このときの送信動作を終了する。
【００６０】
また、指定された通信モードがＤ−ＳＭＴＰモードであり、判断３０７の結果がＮＯになるときには、そのときに宛先として指定されたＩＰアドレスの相手端末へ接続し（処理３１５）、Ｄ−ＳＭＴＰプロトコルを適用して、処理３０６で作成した画情報を送信する（処理３１６）。
【００６１】
ここで、送信エラーが発生したかどうかを調べ（判断３１６）、判断３１６の結果がＮＯになるときには、その時点で送信動作を終了する。また、判断３１６の結果がＹＥＳになるときには、そのときのＩＰアドレスが、図１０（ａ）に示したアドレス変換テーブルに登録されているかどうかを調べる（判断３１８）。ここで、アドレス変換テーブルは、ＩＰアドレスまたはホスト名に対応した電子メールアドレスが登録された複数のアドレス変換情報を備えたものであり、ユーザ等によりあらかじめ形成されて、適宜な要素に保存されているものである。
【００６２】
判断３１８の結果がＹＥＳになるときには、対応する電子メールアドレスを取得して（処理３１９）、処理３０８へ移行し、ＳＭＴＰモードへ切り換えて、送信動作を行う。
【００６３】
また、判断３１８の結果がＮＯになるときには、所定回数まで再送動作を行ったかどうかを調べ（判断３２０）、判断３２０の結果がＮＯになるときには、処理３１６へ戻り、再度、同じ送信動作を行う。
【００６４】
また、判断３２０の結果がＹＥＳになるときには、送信エラーが発生した旨を操作表示部７で警告表示して（処理３２１）、このときの送信動作を終了する。
【００６５】
このようにして、本実施例では、Ｄ−ＳＭＴＰモードの送信動作が送信エラーになった場合には、ＳＭＴＰモードに切り換えて送信動作を行うので、より確実な送信動作が期待できる。
【００６６】
【発明の効果】
以上説明したように、本発明によれば、ＩＰアドレスを入力する場合に、ピリオドに代えてテンキーに設けられている記号キーを用いることができるようにしているので、簡便な入力手段でＩＰアドレスを入力できるという効果を得る。また、ユーザが入力した宛先情報の内容に基づいて、適用する通信機能を判別するので、ユーザの操作が簡便になるという効果も得る。
【００６７】
また、ユーザの指定により、送信時の通信モードを振り分けることができるので、適切な通信動作が期待できるという効果も得る。また、ＳＭＴＰモードで電子メールを送信した場合に送信エラーが発生したときには、その時点で即送信エラーが発生した旨を警告表示しているので、ユーザに迅速な通知を行うことができるという効果も得る。また、Ｄ−ＳＭＴＰモード電子メールを送信した場合に送信エラーが発生したときには、規定回数まで再送動作を行い、それでも送信できなかった場合のみに送信エラーが発生した旨を警告表示しているので、ユーザに適切に通知を行うことができるという効果も得る。
【００６８】
また、Ｄ−ＳＭＴＰモードの送信動作が送信エラーになった場合には、ＳＭＴＰモードに切り換えて送信動作を行うので、より確実な送信動作が期待できるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】ネットワークファクシミリ装置ＦＸの送信処理の一例を示したフローチャート。
【図４】ＩＰアドレスおよびローカルパートの入力例を示した概略図。
【図５】本発明の他の実施例にかかる送信時の処理の一例を示したフローチャート。
【図６】本発明の他の実施例にかかる送信時の処理の一例を示したフローチャート（続き）。
【図７】本発明のさらに他の実施例にかかる送信時の処理の一例を示したフローチャート。
【図８】本発明のさらに他の実施例にかかる送信時の処理の一例を示したフローチャート（続き）。
【図９】本発明のさらに他の実施例にかかる送信時の処理の一例を示したフローチャート（続き）。
【図１０】アドレス変換テーブルの一例を示した概略図。
【符号の説明】
ＦＸ　ネットワークファクシミリ装置
【図１】
2004104643.tif 000003
【図２】
2004104643.tif 000004
【図３】
2004104643.tif 000005
【図４】
2004104643.tif 000006
【図５】
2004104643.tif 000007
【図６】
2004104643.tif 000008
【図７】
2004104643.tif 000009
【図８】
2004104643.tif 000010
【図９】
2004104643.tif 000011
【図１０】
2004104643.tif 000012